(57)【要約】      （修正有）【課題】コンパクトで軽量であり、手や指を効率良く洗浄できる手洗浄器を提供する。【解決手段】ケーシング１０とカバー１８の中に、駆動電動機４と減速機とを締結して取り付ける。ケーシング１０から突出した出力軸６に回転ブラシ２を取りつける。回転ブラシの周囲四方のうちの一方に支持部材等をまとめ、他の三方を開けた構造とする。【選択図】図２
0003179239.tif 000002
【実用新案登録請求の範囲】
【請求項１】
直径が６０ｍｍを超えない円筒形をした回転ブラシ本体に植毛し、回転ブラシを構成し、該回転ブラシの一方を電源に接続し、必要に応じて、ＯＮ−ＯＦＦするための手段を有する駆動電動機および減速機によって、減速した回転力を伝える出力軸に連結し、該駆動電動機をケーシングやカバーの中に取り付け、該ケーシングを作業台や机の上に取り付けるための支持部材や台板をスリムにすると共に、回転ブラシの周囲４方のうちの１方にまとめ、洗浄時に回転ブラシに対し、手や指のアクセスが容易なように、他の３方を開けた構造にしたことを特徴とする手洗浄器。
【請求項２】
回転ブラシ本体を中空にし、回転ブラシ本体の内側に両側に一対の軸受を設け、回転ブラシに加わる横荷重を該軸受で支持し、該軸受に作用する力を、駆動電動機のカバーに締結された中空円筒状の支持部材の外周部で支持し、支持部材の中空穴の中に回転力を伝える軸を通し、端部カバーを介して、回転ブラシに回転を伝えるようにしたことを特徴とする請求項１の手洗浄器。
【考案の詳細な説明】
【考案の詳細な説明】
【産業上の利用分野】
【０００１】本考案は、手の平、手の甲あるいは指や指先、爪などに付着した油汚れ、塗料による汚れを除することと、医療関係者あるいは食品関係者の作業前の除菌のための手や指、爪の洗浄を能率的に、確実に行う手洗浄器に関するものである。
【背景技術】
【０００２】［図７］、［図８］、［図９］は従来より公開されている手洗浄器の代表例を示したものである。【０００３】まず、［図７］は、［実用新案文献１］実開平７−１６６９３の［図５］を部分的に転載したもので、符号は原文のままとした。ここに示されている手洗浄器は、円筒状の周壁１８の内周側、円形底板１７の外周部上面に植毛し、かつ円形底板１７に周壁１８を固定し、円形底板１７の中央下面に回転軸１５を取り付け、この回転軸１５を正逆転させる駆動装置１４に連結し、周壁１８および円形底板１７を正逆転させつつ、手や指先を、植毛された毛１９、毛２４に接触ブラシングし、洗浄するものである。【０００４】［図８］、［図９］は、［特許文献１］特開平７−２４１２５３の［図１（ａ）］、［図２］を部分的に転載したもので、符号は原文のままとした。ここに示されている手洗浄器は、円筒状の回転ブラシ４を、洗浄器本体１の中に保持され、駆動モータ１７の回転力が駆動軸１８、プーリ１９、駆動ベルト２０を経て、回転軸１６、回転ブラシ４に伝達され、回転ブラシ４が駆動される。回転ブラシ４の、洗浄ブラシ１５は、洗浄器本体１の傾斜面２に取り付けられた指入れ防止部材６の隙間より、上部その毛先が出ており、ここに手や指を接触ブラッシングすることにより、手や指の洗浄ができる。
【考案が解決しようとする課題】
【０００５】［実用新案文献１］実開平７−１６６９３の手洗浄器は、指先や爪の汚れを除去することに主眼を置いているため、円筒状の周壁７の内側と円形底板６の外周側上面に植毛し、この箱状の環状ブラシの中に、指先を挿入して洗浄する。このため、手の平や手の甲、あるいは、指と指の間など、細かいところの洗浄が困難であるという問題があった。
【０００６】また、指先や爪などを洗浄したあと、洗浄に用いた洗剤の残りや、汚染物などが環状ブラシＣなどに付着していると考えられるが、これらが箱状の環状ブラシＣに滞留し、これらを完全に除去し、清潔にすることが困難であり、医療関係あるいは食品関係などの用途に対し、清潔を保つことができないという問題があった。
【０００７】一方、［特許文献１］特開平７−２４１２５３の手洗浄器は、洗浄器本体１の上面、傾斜面２の上部に回転ブラシ４の一部を、飛び出した状態にし、手の平、手の甲、指先や爪などを接触ブラッシングが容易にできるようにしているため、能率よく、洗浄することが可能である。ところが、指先を、回転ブラシ４と傾斜面２との間に巻き込み事故を防止するため、指入れ防止部材６を、傾斜面２に取り付けているため、指と指間や爪のまわりなど小まわりの効く洗浄がやりにくいという欠点があった。
【０００８】また、回転ブラシ４の一部を指入防止部材６の外に出るようにする必要があり、回転ブラシ４の直径を８０ｍｍ〜１００ｍｍと、比較的大きくせざるを得ず、小型で、コンパクトな形状にすることが困難である。
【０００９】本手洗浄器は、能率的に油汚れを除去することに主眼が置かれており、排水や汚染水が滞留しないようには、考慮されているが、次に手洗浄する人が、前に洗浄した人が残留した洗剤の除去と清掃および回転ブラシ本体１の下部の清掃と乾燥が困難で、医療関係や食品関係の作業前洗浄には、利用しにくいという問題があった。
【課題を解決するための手段】
【０００９】上記目的を達成するため、回転ブラシ本体１の直径を比較的小さく、具体的には、最大でも６０ｍｍとし、回転ブラシ本体１の外周部に植毛して、ブラシ２を構成させる。また回転ブラシ本体１は、駆動電動機４の回転力を減速機５を経て、下部カバー１６を貫通した出力軸６に連結され、片持ちはり状で支持され、回転ブラシ４の周囲を広くするため、駆動電動機４や減速機５を内蔵するケーシング１０を保持する支柱１１も、コンパクトにする。また片持ちはり状にすることにより、回転ブラシ本体１の軸端部では、指と指の間の洗浄が容易にできる。以上のように、手洗浄時には、手や指先を回転ブラシ本体１に対し、アクセスし易くする。
【００１０】回転ブラシ１本体は、その周囲に、手や指をアクセスするときの障害となる部材はスリム化すると共にコンパクト化し、少なくとも四方のうち１方にまとめ、三方を開けておくことにより、洗浄作業時のアクセスを容易にするだけでなく、洗浄作業の前後に必ず必要となる清掃や清浄度の確認作業およびは乾燥が簡単に確実にできるようになる。
【００１１】ブラシ２は、駆動電動機４で駆動するため、安全性の確保は絶対の条件であるが、回転ブラシ本体１の全周囲の５０％以上を片手で握り締めることができる大きさにすることと共に、出力軸６のトルクを、片手で、静止できる大きさにすることにより、巻き込みなどの不測の事態が生じたときには、片手または両手で、ブラシ２を握り締め、静止させ、その上で、スイッチ２０をＯＦＦにすることで、十分安全に止めることができる。
【実施例】
【００１２】次に、本考案を図示された実施例に基づいて詳述する。［図１］、［図２］は手洗浄器の第一実施例を示したものである。底板１３に支柱取付具１２が溶接されており、該支柱取付具１２に支柱１１が、挿入され、リジッドに固定されている。そして、該支柱１１の上部には、ケーシング１０が取り付けられており、該ケーシング１０の内部には、駆動電動機４と減速機５が組み付けられ、下部カバー１６に締結されている。そして、該下部カバー１６が、ケーシング１０に締結されている。駆動電動機４の回転力は、減速機５に伝えられ、下部カバー１６を貫通して、出力軸６に伝達されている。該出力軸６は、接手７を介して回転ブラシ本体１の軸３に連結されている。このようにして、駆動電動機４の回転力が回転ブラシ１に伝達される。【００１３】ブラシ２は、直径が片手で握り締めることが可能な大きさ、すなわち最大でも６０ｍｍの直径の回転ブラシ本体１に植毛されている。回転ブラシ本体１やブラシ２は、回転させられるが、回転速度は、手洗浄時に供給される水あるいは温水や洗剤がブラシ２の表面に付着し、保持されるので、遠心力のために飛散しないように、重力の加速度を１Ｇとするとき、ブラシ２の外周における回転による遠心加速度が１Ｇを超えないように選定される。【００１４】第一実施例は、立形の回転ブラシ本体１を有する構造をしているが、回転ブラシ本体１の周囲３６０°分を４等分し、４方とするとき、主柱１１の占有域をできるだけ小さくし、４方のうちの１方にまとめ、少なくとも３方は、広く開けておくものとする。そして、手洗浄時に、手や指などをブラシ２に対し、自由にアクセスできるようにすると共に、回転ブラシ本体１やブラシ２に付着している洗剤の成分や汚染物質が簡単に目視確認され、また図示されていないが、別の棒ブラシや丸棒を用いて除去作業が容易にできるようにすることが重要である。【００１５】駆動電動機４には、順次電源プラグ１７、スイッチ２０、コンデンサ９を経て、電線で接合される。上部カバー１５に対しては、貫通部材２１を用いて、電線貫通部の水漏れを防止している。スイッチ２０をＯＮ−ＯＦＦすることにより、回転ブラシ本体１の回転が、操作される。【００１６】手洗浄器は、通常は、図示されていないが給水設備や排水設備の整った洗面台あるいは流し台に設置し利用するものである。手洗浄器には、給水設備を取り付けず、既設の水道蛇口や給湯器の蛇口より給水を受けて、手洗浄を行う。洗面台や流し台に設置したとき、手洗浄器の安定を図るため底板１３の底面に吸盤１４を設け、洗面台や流し台面にしっかり固定する。本手洗浄器は、電源プラグ１７を、電源コンセントに差し込む以外に特に接続するものはないので、手洗浄後は、回転ブラシ本体１を水洗いして、手洗浄器を、保管用の容器に簡単に格納することができ、常に流し台や手洗台を広くしておくことができる。また、手洗浄器の出し入れ格納、保管が容易なので、移動用の手洗浄器でもあり、作業現場が、工事によって変化する場合も便利である。【００１７】［図３］、［図４］は、第二実施例の図である。この例では、回転ブラシ本体１０２が横形の構造をしている。ケーシング１１３の中に駆動電動機１０９、減速機１０８を���け、カバー１１４に締結し、該カバー１１４を貫通して、出力軸１１０が出ている。該出力軸１１０には、接手１１１を介して回転ブラシ本体１０２に、回転力を伝える軸１０３に連結されている。第二実施例では、横形のため、回転ブラシ本体１０２に作用する横荷重が大きくなっても耐え得るように、回転ブラシ本体１０２の内側両端に軸受１０５を設け、該軸受１０５に作用する横荷重を支持部材１０４で支持する。該支持部材は、中空となっており、中心には、回転力を伝える軸１０３が通っているが、カバー１１４に締結されており、手洗浄時に生ずる回転ブラシ本体１０２に作用する横荷重に対し、十分な強度を有する構造としている。【００１８】第二実施例においても、回転ブラシ本体１０２が、駆動電動機１０９や減速機１０８を内蔵したケーシング１１３やカバー１１４に対し、片持ちばり構造となっている。これは回転ブラシ本体１０２やブラシ１０１に手や指などを接触ブラッシングを行うとき、特に端部は細かいところにも届き易いメリットがあり、手洗浄作業に便利であり、このような構造にしている。【００１９】また、ケーシング１１３と、回転ブラシ本体１０２の関係位置保持のために必要な台板１１８は、回転ブラシ本体１０２の周囲を４方としたとき、下部１方にまとめ、手洗浄作業がやり易いように３方を広く開けておくようにする。また手洗浄作業だけでなく、手作業前後には必ずブラシ１０１や回転ブラシ本体１０２の清掃作業が必要であり、また作業のあとには清浄度の目視確認は不可欠であり、このような確認も、十分満足にできるように、ブラシ１０１や回転ブラシ本体１０２の周囲を広く開ける構造とする。【００２０】一方、本考案の手洗浄器には、給水設備や洗剤供給設備を設けていない。これは、手洗浄器をコンパクトに、構造の簡素化を図るためで、これらの設備を具備させることを必須要素とはしていない。むしろ給水設備や排水設備は、既存の設備を利用し、洗剤供給は、洗剤の容器から直接で吹き付けることによって、利用することとする。
【作用】
【００２１】本考案の手洗浄器を用いて、手や指の洗浄を行うときは、まず手洗浄器を給水設備と排水設備の整った手洗台や流し台のシンクにセットし、吸盤１４または１１９を効かせてしっかり固定する。このとき、周囲の不要な物は除去しておく。次ぎに電源プラグ１７または１２３を、図示されていないが電源コンセントに差し込み、スイッチ２０または１２２をＯＮにする。回転ブラシ本体１または１０２やブラシ２または１０１が回転することを確認したら、図示されていないが、水道蛇口や給湯器の蛇口から、水や温水をブラシ２または１０１に掛け、ブラシ２または１０１に含ませる。そのあと、液体洗剤を容器から噴射し、付着させる。次ぎに、手を濡らし、手や指をブラシ２または１０１に接触摺動、ブラッシングさせ洗浄する。一般的には、左右両手を同時に洗浄するが、指と指の間など、細かいところの洗浄は、端部を利用し、片方ずつ洗浄する。手洗浄中にブラし２または１０１に、細ひもやタオルなどを巻き込んだりする不測の事態が発生したときは、スイッチ２０または１２２をＯＦＦにすることが先決であるが、片手または両手で回転ブラシ本体１または１０２をしっかり握り締めることによっても、回転ブラシ本体１または１０２の回転を静止させることができる。そのまま、落ち着いてスイッチ２０または１２２をＯＦＦにし、停止操作をする。手洗浄中に、手の洗剤を洗い流し、汚れがなくなっていれば、洗浄作業は完了となる。そしたら、水道や給湯器の蛇口からの温水や水をブラシ２また１０１に吹きかけ、洗剤成分がなくなるまで、ブラシ２または１０１の清掃作業を続ける。スイッチ２０または１０２を止め、ブラシ２または１０１に洗剤成分や汚染物質が付着していないことを確認し、清掃作業が終了する。
【効果】
【００２２】以上のように、本考案の手洗浄器は、コンパクトで、軽量であるので、普段は格納しておいて、使用する前に取り出して使用するので、手洗台や流し台の活用に支障を来すことがない。
【００２３】そして、手洗浄器の回転ブラシ本体１または１０２の周囲が広く開いているので、手や指のブラシ２または１０１に対するアクセスが容易であり、指と指の間など、細かいところの洗浄も能率よく作業ができる。
【００２４】回転ブラシ本体１または１０２は、直接片手で握り締めることができるような小さな直径としているので、緊急時には、回転ブラシ本体１または１０２を握り締めると回転を止めることができるので、安全である。そして、そのままスイッチ２０または１２２をＯＦＦにし、停止状態にするのは当然である。
【００２５】本考案の手洗浄器は、手洗浄に便利で、細かいところの洗浄に効果的なばかりでなく、手洗浄作業の前後に回転ブラシ本体１または１０２やブラシ２または１０１の清掃作業が必要となるが、回転ブラシ本体１または１０２の周囲を広くしてあるので、清掃作業や清浄度の目視確認がやり易く、特に清潔が重要な医療関係や食品関係の作業前後の手洗浄にも利用できる。
【引用文献】
【００２６】
【特許文献１】特開平７−２４１２５３  公開日  平成７年（１９９５）９月１９日
【実用新案文献１】
実開平７−１６６９３  公開日  平成７年（１９９５）３月２０日
【図面の簡単な説明】
【図１】は、本考案の第一実施例の正面図である。
【図２】は、［図１］の中央横断面図である。
【図３】は、［図２］の下面図である。
【図４】は、本考案の第二実施例の上面図である。
【図５】は、［図４］の中央横断面で、［図６］に示す“Ｏ−Ａ”の部分断面図も一部記載されている。
【図６】は、［図５］の視野“Ｂ”の側面図である。
【図７】は、従来品の図で、引用文献  実開平５−６５２９９の［図５］を引用したもので、符号は文献のまま用いた。
【図８】および
【図９】は、従来品の図で、引用文献  特開平７−２９９０１２の［図２］、［図１］主要部を写したもので、符号は、文献のまま用いた。
【符号の説明】［図１］、［図２］、［図３］における第一実施例の符号は次のとおりである。
１  回転ブラシ本体
２  ブラシ
３  軸
４  駆動電動機
５  減速機
６  出力軸
７  接手
８  回り止メビス
９  コンデンサ
１０  ケーシング
１１  支柱
１２  支柱取付具
１３  底板
１４  吸盤
１５  上部カバー
１６  下部カバー
１７  電源プラグ
１８  カバー
１９  電線
２０  スイッチ
２１  貫通部材
［図４］、［図５］、［図６］の第二実施例の符号は次のとおりである。
１０１  ブラシ
１０２  回転ブラシ本体
１０３  軸
１０４  支持部材
１０５  軸受
１０６  端板
１０７  回り止めビス
１０８  減速機
１０９  駆動電動機
１１０  出力軸
１１１  接手
１１２  コンデンサ
１１３  ケーシング
１１４  カバー
１１５  カバー
１１６  Ｏリング
１１７  カバー取付ネジ
１１８  台板
１１９  吸盤
１２０  電線
１２１  貫通部材
１２２  スイッチ
１２３  電源プラグ
【図１】
0003179239.tif 000003
【図２】
0003179239.tif 000004
【図３】
0003179239.tif 000005
【図４】
0003179239.tif 000006
【図５】
0003179239.tif 000007
【図６】
0003179239.tif 000008
【図７】
0003179239.tif 000009
【図８】
0003179239.tif 000010
【図９】
0003179239.tif 000011
【手続補正書】
【提出日】平成24年8月1日(2012.8.1)
【手続補正１】
【補正対象書類名】実用新案登録請求の範囲
【補正対象項目名】請求項１
【補正方法】変更
【補正の内容】
【請求項１】
直径が６０ｍｍを超えない円筒形をした回転プラシ本体に植毛し、回転ブラシを構成し、電源と接続するための手段および電気をＯＮ−ＯＦＦするたの手段を有する駆動電動機と該駆動電動機の回転軸が連結され回転数を減速して回転力が出力軸に伝達されるようにした減速機とを締結すると共に、ケーシングとカバーの中に取り付け、該ケーシングから突き出した該出力軸に該回転ブラシを連結し、片持ち形の電動回転ブラシを構成せしめ、該ケーシングを作業台や机の上に取りつけるための支持部材や台板をスリムにすると共に、回転ブラシの周囲４方のうちの１方にまとめ、洗浄時に回転ブラシに対し、手や指のアクセスが容易なように、他の３方を開けた構造にしたことを特徴とする手洗浄器。